(57)【要約】【課題】少ないキーからなる携帯性に優れたキーボードから、ＰＣなどに簡単で分かり易い操作で従来のキーボードと同等のキーボード入力が可能な電子装置間のキー入力情報入力システムを提供する。【解決手段】キーボードインタフェース１３２を備えたＰＣ１１０と、キーボード１２２と表示パネル１２３を備えた携帯電話機１２０と、ＰＣ１１０と携帯電話機１２０とを物理的および論理的に接続するインタフェース変換装置１３１とを備え、携帯電話機１２０はＰＣ１１０が必要とするキー入力情報をキーボード１２２のキー配置に対応させた複数のキーマップを有し、選択されたキーマップと打鍵されたキーとの組み合わせに対応する入力情報がキーボード入力インタフェース１３２に出力され、表示パネル１２３にはキーマップの一覧を示すメニューとキーマップが表示される。【選択図】      図１
2004192215.tif 000002
【特許請求の範囲】
【請求項１】
キーボード入力インタフェースを備えた第１の電子装置と、キーボードと表示パネルとを備えた第２の電子装置と、前記第１の電子装置と前記第２の電子装置とを物理的および論理的に接続する接続インタフェースとを備え、
前記第２の電子装置は、前記第１の電子装置が必要とするキー入力情報を前記キーボードのキー配置に対応させて配分した複数のキーマップを有し、選択された該キーマップと打鍵されたキーとの組み合わせに対応する入力情報が前記接続インタフェースを経由して前記第１の電子装置の前記キーボード入力インタフェースに出力され、
前記表示パネルには、前記キーボードからの所定のキー入力によって前記キーマップの一覧を示すメニューが表示され、さらに前記キーボードからの所定のキー入力によって前記メニューから選択された前記キーマップが表示され、該キーマップに従った前記キーボードからのキー入力によって該キーマップに表示された入力情報が選択されることを特徴とする電子装置間のキー入力情報入力システム。
【請求項２】
前記第１の電子装置がパーソナルコンピュータである、請求項１に記載の電子装置間のキー入力情報入力システム。
【請求項３】
前記第２の電子装置が携帯電話機である、請求項１または請求項２に記載の電子装置間のキー入力情報入力システム。
【請求項４】
前記複数のキーマップには、ローマ字入力と、仮名入力と英字入力とのためのそれぞれの入力情報とキー配置との関係を示すキーマップが含まれている、請求項１から請求項３のいずれか１項に記載の電子装置間のキー入力情報入力システム。
【請求項５】
前記複数のキーマップには、さらに記号入力のための入力情報とキー配置との関係を示すキーマップが含まれている、請求項４に記載の電子装置間のキー入力情報入力システム。
【請求項６】
前記複数のキーマップには、さらに制御機能入力のための入力情報とキー配置との関係を示すキーマップが含まれている、請求項４に記載の電子装置間のキー入力情報入力システム。
【発明の詳細な説明】
【０００１】
【発明の属する技術分野】
本発明は電子装置間のキー入力情報入力システムに関し、特に、携帯電話機のキーボードよりパーソナルコンピュータに情報入力を行うキー入力情報入力システムに関する。
【０００２】
【従来の技術】
従来のパーソナルコンピュータ（以下ＰＣと略称する）では、文字入力や各種の制御入力を入力するキーボードとして、図１５のようにキー数が１００程度のものが使用されている。最近のタブレットＰＣのように、キーボードは必ずしも必要ではなくてオプションとなっており、表示画面を電磁式の特殊なペンでタッチすることにより、キーボードと同等の文字入力や制御機能を入力できるＰＣも現れている。パーソナルコンピュータ本体とキーボードとの接続は物理的あるいは論理的に標準化されて、例えばＵＳＢ（Ｕｎｉｖｅｒｓａｌ  Ｓｅｒｉａｌ  Ｂｕｓ）と呼ばれるインタフェースを使用して定義されている。
【０００３】
【特許文献１】
特開平２００２−１１６８６９号公報
【０００４】
【発明が解決しようとする課題】
従来の図１５に示されるようなＰＣキーボードは携帯性や省スペース性が劣っており、多くのキーを選択して操作する必要があるので操作性にも問題がある。
【０００５】
タブレットＰＣにおいては、専用のタブレットを用意する必要があり、通常のキー入力とは異なる入力方法に習熟する必要があるという問題点がある。
【０００６】
本発明の目的は、携帯電話機のキーボードのように少ないキーからなる携帯性に優れたキーボードから、ＰＣなどに簡単で分かり易い操作で従来のキーボードと同等のキーボード入力が可能な電子装置間のキー入力情報入力システムを提供することにある。
【０００７】
【課題を解決するための手段】
本発明の電子装置間のキー入力情報入力システムは、
キーボード入力インタフェースを備えた第１の電子装置と、キーボードと表示パネルとを備えた第２の電子装置と、第１の電子装置と第２の電子装置とを物理的および論理的に接続する接続インタフェースとを備え、第２の電子装置は、第１の電子装置が必要とするキー入力情報をキーボードのキー配置に対応させて配分した複数のキーマップを有し、選択されたそのキーマップと打鍵されたキーとの組み合わせに対応する入力情報が接続インタフェースを経由して第１の電子装置のキーボード入力インタフェースに出力され、表示パネルにはキーボードからの所定のキー入力によってキーマップの一覧を示すメニューが表示され、さらにキーボードからの所定のキー入力によってメニューから選択されたキーマップが表示され、そのキーマップに従ったキーボードからのキー入力によってそのキーマップに表示された入力情報が選択されることを特徴とする。
【０００８】
ここで、第１の電子装置がパーソナルコンピュータであってもよく、第２の電子装置が携帯電話機であってもよい。
【０００９】
また、複数のキーマップには、ローマ字入力と、仮名入力と英字入力とのためのそれぞれの入力情報とキー配置との関係を示すキーマップが含まれていてもよく、さらに記号入力のための入力情報とキー配置との関係を示すキーマップが含まれていてもよく、さらに制御機能入力のための入力情報とキー配置との関係を示すキーマップが含まれていてもよい。
【００１０】
キーボード入力インタフェースを備えた第１の電子装置と、キーボードと表示パネルを備えた第２の電子装置と、第１の電子装置と第２の電子装置とを物理的および論理的に接続する接続インタフェースとを備えており、第２の電子装置は、第１の電子装置が必要とするキー入力情報をキーボードのキー配置に対応させた複数のキーマップを有し、選択されたキーマップと打鍵されたキーとの組み合わせに対応する入力情報が接続インタフェースを経由して第１の電子装置のキーボード入力インタフェースに出力され、表示パネルにはキーマップの一覧を示すメニューとキーマップが表示されるので、従来のキーボードに比べて、はるかに少ないキー数のキーボーで、従来のキーボードと同等の文字や制御機能をＰＣなどに入力することができ、キーボードと一体的に実装された表示パネルに表示されたキーマップに従って、簡単な操作で、操作性のよいキーボード入力ができる。
【００１１】
【発明の実施の形態】
次に、本発明の実施の形態について図面を参照して説明する。図１は本発明の実施形態の電子装置間のキー入力情報入力システムのシステム構成を示す模式図である。本発明は携帯電話機のキーボードのように少ないキーからなる携帯性に優れたキーボードから、ＰＣなどに簡単で分かり易い操作で従来のキーボードと同等のキーボード入力が可能な電子装置間のキー入力情報入力システムを提供するものであり、実施の形態では第１の電子装置をパーソナルコンピュータ（ＰＣと略称する）とし、第２の電子装置を携帯電話機として説明するがこれに限定されるものではない。
【００１２】
ＰＣ本体１１１は、インタフェース変換装置１３１を介して携帯電話機本体１２１と接続されている。携帯電話機本体１２１とインタフェース変換装置１３１とは赤外線インタフェース１３３で接続されている。赤外線インタフェース１３３は携帯電話機と外部装置とを接続する標準インタフェースである。インタフェース変換装置１３１とＰＣ本体１１１とは、ＰＣキーボードインタフェース１３２で接続されている。ＰＣキーボードインタフェース１３２は物理的にはＵＳＢと呼ばれる標準インタフェースであり、論理的にはＵＳＢ規約に基づいたＰＣキーボード接続インタフェースである。
【００１３】
インタフェース変換装置１３１は、赤外線インターフース１３３とＵＳＢ上のＰＣキーボードインタフェース１３２との間の情報を物理的および論理的に変換する。
【００１４】
携帯電話機本体１２１は携帯電話機表示パネル１２３と接続されて、画面表示情報を送出する。携帯電話機本体１２１は携帯電話機キーボード１２２からキー入力情報を受け取る。
【００１５】
ＰＣ本体１１１はＰＣ表示装置１１２と接続され、ＰＣ表示装置１１２に画面表示情報を送出する。携帯電話機本体１２１と携帯電話機表示パネル１２３と携帯電話機キーボード１２２とは、携帯に便利なように携帯電話機１２０として一体的に実装されている。
【００１６】
操作者は携帯電話機１２０の表示パネル１２３の表示内容に従い、携帯電話機のキーボード１２２を操作して、携帯電話機本体１２１に実装されたソフトウェアの働きにより、ＰＣのキーボード操作と同等のキーボード入力をＰＣ本体１１１に対して行うことができる。
【００１７】
図２は携帯電話機キーボード１２２のキートップの刻印表示であり、携帯電話機本来の各キーの機能とキー配置を表しており、キーボード１２２は制御キー部分２１０とデータキー部分２５０とから構成される。
【００１８】
制御キー部分２１０のモードキー２１１は携帯電話機をデータ通信モードに設定するキーであり、「●」キー２１２は各種の動作の決定あるいは確定を定めるキーであり、メニューキー２１３は各種の操作のメニューを表示パネル１２３に表示するキーであり、本実施の形態ではＰＣキーボード入力モードの選択を行うためのメニュー画面を表示することができる。「←」キー２２１、「↑」キー２２２、「→」キー２２３、「↓」キー２３２は上下左右のカーソルキーである。メールキー２３１はメール操作の開始キーであり、アドレスキー２３３はアドレス帳操作の開始キーであり、電話キー２４１は電話操作の開始キーである。クリアキー２４２は直前のキー入力の取り消しを行うキーである。保留キー２４３は通話の保留を行うキーであり、各種の動作の終了にも使用される。
【００１９】
データキー部分２５０の数字キー２５１、２５２、２５３、２６１、２６２、２６３、２７１、２７２、２７３、および２８２は１０種類の数字１から０を入力するキーである。同時にこれらのキーは文字入力モードに従って、平仮名、片仮名、アルファベットを入力するために使用される。「＊」キー２８１と「＃」キー２８３は各種の制御操作に使用され、また「＃」キー２８３は記号の入力に使用される。
【００２０】
これらのキーが押下されたとき、キーボード１２２はキーの配置されている位置情報を接点信号として携帯電話機本体１２１に送出し、携帯電話機本体１２１に実装されたソフトウェアによって、携帯電話機１２０としてのそれぞれの所定の操作に対応する処理が行われる。
【００２１】
次に、図１のシステムにおいて、ＰＣ本体１１１に、携帯電話機キーボード１２２から、図１５に示したＰＣキーボード１５００と同等のキーボード入力を行う方法について説明する。まず、メニューキー２１３の打鍵から始まる操作で、表示パネル１２３にメニューを表示させ、その中のＰＣキーボード入力モードを選択して携帯電話機本体１２１をＰＣキーボード入力モードとする。
【００２２】
このとき、表示パネル１２３に図３のメニュー画面３００が表示される。メニュー画面３００には、ここでは１０個の選択項目が表示されている。これらの選択項目はキー数の少ない携帯電話機キーボード１２２のキーの操作によってＰＣ１１０の図１５に示すような多数のキーの操作を行うために、多数のキーの機能を分割して携帯電話機キーボード１２２のキーに割り当てたものであり、それぞれの項目に対応したキーマップに従ってキーボード１２２のキーを操作することによって、図１５に示すような多数のキーの操作を行うことができる。メニュー画面３００に表示されている各項目の選択は、キーボード１２２の数字キー２５１などの打鍵によって行われる。いま、「１．拡大ローマ字」を選択する「１」数字キー２５１を打鍵すると、メニュー画面３００は消滅し、表示パネル１２３に図４の［拡大ローマ字］をタイトル４１０とするキーマップ４００が表示される。キーマップ４００［拡大ローマ字］は、キーボード１２２を操作する場合に入力される各キーがどのような機能を入力することになるかを表しており、キーボード１２２のキー配列に対応している。タイトル４１０には「拡大ローマ字」と表示されており、キーボード１２２が、通常電話機のキーボードに配置されているようなＡＢＣ順のアルファベットではなく、仮名を構成する母音と子音のアルファベットがそれぞれ降順に配置されていて通常のアルファベット入力よりも入力の容易なローマ字に対応した拡大機能を入力できる状態にあることを示している。例えば拡大ローマ字入力モードでは、モードキー２１１を打鍵すると、そのキーに対応する「Ｓｐａｃｅ」表示４１１に示される「Ｓｐａｃｅ」機能が携帯電話機本体１２１からインタフェース変換装置１３１を経由してＰＣ本体１１１のキーボードインタフェース１３２に入力される。
【００２３】
この過程は次の通りに行われる。打鍵されたキー２１１の位置情報が携帯電話機本体１２１に送られ、携帯電話機本体１２１は拡大ローマ字入力モードであることを認識しているので、スペースコードを選択してインタフェース変換装置１３１を通して、ＰＣ本体１１１に送る。インタフェース変換装置１３１は、赤外線通信インタフェース１３３の情報をＰＣのキーボ−ドインタフェース１３２の情報に変換して、図１５に示されるＰＣキーボード１５００のＳｐａｃｅキー１６１４の打鍵と同等の情報がＰＣ本体１１１に入力される。
【００２４】
拡大ローマ字モードでの携帯電話機キーボード１２２の「●」キー２１２、「←」キー２２１、「↑」キー２２２、「→」キー２２３、メールキー２３１、「↓」キー２３２、アドレスキー２３３、電話キー２４１、クリアキー２４２、保留キー２４３、数字キー２５１、２５２、２５３、２６１、２６２、２６３、２７１、２７２、２７３、２８２の打鍵についても同様である。即ち、図４のキーマップ４００［拡大ローマ字］の表示に従って、携帯電話機キーボード１２２のこれらのキーを打鍵するとそれぞれ対応する図１５のＰＣキーボード１５００のＥｎｔｅｒキー１５６４、「←」キー１６０５、「↑」キー１５８６、「→」キー１６０７、Ｕキー１５５７、「↓」キー１６０６、Ｅキー１５５３、Ｉキー１５５８、ＢａｃｋＳｐａｃｅキー１５４４、Ｏキー１５５９、Ａキー１５７１、Ｋキー１５７８、Ｓキー１５７２、Ｔキー１５５５、Ｎキー１５９６、Ｈキー１５７６、Ｍキー１５９７、Ｙキー１５５６、Ｒキー１５５４、Ｗキー１５５２と同等の情報がＰＣ本体１１１に入力される。このアルファベットの示す子音と母音とを組み合わせ打鍵することによって仮名の清音が入力できる。
【００２５】
拡大ローマ字モードにおいて、図４の＃濁音表示４８３に従って、対応する図２の携帯電話機キーボードの「＃」キー２８３を打鍵すると表示パネル１２３にキーマップ４００に代わって図５に示すキーマップ５００［拡大ローマ字濁音］が表示される。この状態では図２の携帯電話機キーボード１２２は拡大ローマ字モードの濁音文字と拡大されたローマ字のキー入力が行われる状態となる。即ち、数字キー２５２、２５３、２６１、２６２、２６３を打鍵するとそれぞれ対応する図１５のＰＣキーボード１５００の濁音キーであるＧキー１５７５、Ｚキー１５９１、Ｄキー１５７３、Ｐキー１５６０、Ｂキー１５９５と同等の情報がＰＣ本体１１１に入力される。また、メールキー２３１、アドレスキー２３３、電話キー２４１、保留キー２４３、数字キー２７１、２７２、２７３、２８２、「＃」キー２８３を打鍵するとそれぞれ対応する拡大されたローマ字キーであるＱキー１５５１、Ｘキー１５９２、「，」キー１５９９、Ｃキー１５９３、「．」キー１６００、Ｆキー１５７４、Ｊキー１５７７、Ｌキー１５７９、Ｖキー１５９４、「−」キー１５４１と同等の情報がＰＣ本体１１１に入力される。
【００２６】
なお、キーマップ５００［拡大ローマ字濁音］が表示されている状態で、クリアキー２４２を打鍵すると「ＢａｃｋＳｐａｃｅ」５４２の機能となり、キーマップ５００を選択した直前のキー入力即ち、「＃」キー２８３の打鍵が取り消され、キーマップ４００［拡大ローマ字］が表示され、拡大ローマ字入力モードに戻る。
【００２７】
また、［拡大ローマ字濁音］モードで、選択のために図２のどれかのキーが打鍵されると、選択された情報はＰＣ本体１１１に入力されるとともにキーマップ５００［拡大ローマ字濁音］は消滅し、表示パネル１２３には図４のキーマップ［拡大ローマ字］が表示され、［拡大ローマ字］モードに戻る。これは［拡大ローマ字濁音］モードで、選択のために複数のキーを連続して打鍵する必要が殆どなく、［拡大ローマ字］モードの母音と組み合わせることによって仮名となるからである。
【００２８】
キーマップ４００［拡大ローマ字］が表示されている状態で、メニューキー２１３を打鍵するとキーマップ４００［拡大ローマ字］は消滅し、表示パネル１２３には図３のメニュー画面３００が表示され、メニュー選択モードに戻る。
【００２９】
次に、キーマップ４００［拡大ローマ字］が表示された状態で、＊機能表示４８１に対応する「＊」キー２８１が打鍵されると表示パネル１２３に、図６に示すキーマップ６００［機能］が表示される。
【００３０】
キーマップ６００［機能］が表示されている状態では、図２のキーボードから、図６に示されている数字あるいは制御機能がＰＣ本体に入力される。
【００３１】
即ち、キーマップ６００［機能］の表示に従って、モードキー２１１、「●」キー２１２、「←」キー２２１、「↑」キー２２２、「→」キー２２３、「↓」キー２３２、クリアキー２４２、数字キー２５１、２５２、２５３、２６１、２６２、２６３、２７１、２７２、２７３、２８２を打鍵するとそれぞれ対応する図１５のＰＣキーボード１５００の制御機能キーと数字キーであるＥｓｃキー１５１０、Ｔａｂキー１５５０、Ｆ９キー１５２０、Ｆ７キー１５１８、Ｆ１０キー１５２１、Ｆ８キー１５１９、Ｄｅｌキー１５６５、数字キー１５３１、１５３２、１５３３、１５３４、１５３５、１５３６、１５３７、１５３８、１５３９、１５４０と同等の情報がＰＣ本体１１１に入力される。図２のこれらのどれかのキーが打鍵されるとキーマップ６００［機能］は消滅し、表示パネル１２３には図４のキーマップ４００［拡大ローマ字］が表示される。
【００３２】
次に、図３のメニュー画面３００が表示されているときに、図２のキーボードの数字キー２５２を打鍵して、［２］５タッチ仮名を選択すると、図７のキーマップ７００［５タッチ仮名］が表示される。例えば、このときキーマップ７００に従って、「か」に対応する数字キー２５２を打鍵するとキーマップ７００の「か」７５２が反転表示される。続いて数字キー２５２を打鍵するとキーマップ７００の「か」７５２は「き」と反転表示される。続いて、数字キー２６１を打鍵するとキーマップ７５２の「き」の反転表示は通常表示に戻り、キーマップ７００の「た」７６１が反転表示される。このとき、「き」に対応するローマ字の２文字「ＫＩ」の情報が携帯電話機本体１２１からＰＣ本体１１１に送られる。仮名で表示されたキーマップ７００の「か」７５２が、対応する図２のキー２５２の打鍵数に応じて「か」行の「か」「き」「く」「け」「こ」と変化し、キーマップ７００に対応する仮名を反転表示し、同時に対応するローマ字をＰＣ本体に入力することができる。同一行の仮名文字を連続して入力するためには、キーマップ７００に表示された区切り７４３を区切機能として、保留キー２４３を打鍵する。例えば文字列「かきた」を入力するためには、数字キー２５２、保留キー２４３、数字キー２５２、数字キー２５２、数字キー２６１、保留キー２４３と打鍵する。
【００３３】
キーマップ７００の＃濁音７８３に対応する「＃」キー２８３を打鍵すると図７のキーマップ７００の反転表示されている文字が対応する濁音文字に変化する。さらに＃キー２８３を打鍵すると半濁音文字に変化する。例えば、キーマップ７００の「か」７５２の領域が「き」と反転表示されているとき「＃」キー２８３が打鍵されると「ぎ」と反転表示され、保留キー２４３が打鍵されると確定して「ぎ」の反転表示が「か」の表示に戻る。このとき、「ぎ」に対応するローマ字の２文字「ＧＩ」の情報が携帯電話機１２０からＰＣ本体１１１に送られる。ただし、反転表示されている文字が濁音あるいは半濁音文字に対応しない文字である場合はキーマップ７００の表示は変化せず、「＃」キー２８３の打鍵は無効とされる。キーマップ７００の「小文字」７４１に対応する電話キー２４１が打鍵された場合は、反転表示された文字が対応する仮名の小文字に変化する。仮名の小文字は「ぁぃぅぇぉ」と「ゃゅょ」と「っ」である。これらの小文字はローマ字「ＬＡ  ＬＩ  ＬＵ  ＬＥ  ＬＯ」と「ＬＹＡ  ＬＹＵ  ＬＹＯ」と「ＬＴＵ」としてＰＣ本体１１１に送られる。
【００３４】
キーマップ７００の「、」７３１および「。」７３３は句読点を表示し、対応するメールキー２３１、アドレスキー２３３を打鍵することにより、句読点を入力することができる。
【００３５】
キーマップ７００の「わをんー」７８２は、わ行の文字を表示しているが、わ行は「わ」「を」「ん」「ー」からなり、対応するキー２８２の打鍵数で選択される。
【００３６】
以上の操作により図７のキーマップ７００［５タッチ仮名］に従って、すべての仮名文字を入力できる。
【００３７】
キーマップ７００のＳｐａｃｅ７１１、Ｅｎｔｅｒ７１２、Ｍｅｎｕ７１３、「←」７２１、「↑」７２２、「→」７２３、「↓」７３２、ＢａｃｋＳｐ７４２、「＊」機能７８１と対応する図２のキー操作については、拡大ローマ字入力モードの場合と同じである。
【００３８】
以上の５タッチ仮名入力モードは、図２の携帯電話機キーボード１２２のキートップに表示されている「仮名」文字での入力モードである。５０音図の「仮名」の各行の文字を最大５タッチで入力するので「５タッチ入力」と呼ばれる。
【００３９】
次に、図３のメニュー画面３００が表示されているときに、図２のキーボードの数字キー２５３を打鍵して、［３］３タッチ英字を選択すると、図８のキーマップ８００［３タッチ英字］が表示される。例えば、このときキーマップ７００に従って、「ＤＥＦ」８５３に対応する数字キー２５３を打鍵すると、キーマップ８００の「ＤＥＦ」８５３の「Ｄ」が反転表示される。続いて数字キー２５３を打鍵するとキーマップ８００の「ＤＥＦ」８５３の「Ｅ」が反転表示される。続いて、数字キー２６１を打鍵するとキーマップ８００の「ＤＥＦ」８５３の「Ｅ」の反転表示は通常表示に戻り、キーマップ８００の「ＧＨＩ」８６１の「Ｇ」が反転表示される。このとき、英字の「Ｅ」の情報が携帯電話機本体１２１からＰＣ本体１１１に送られる。このように英字の表示されたキーマップ８００の「ＧＨＩ」８６１に対応する図２のキー２６１の打鍵数に応じてキーマップ８００の反転文字が「Ｇ」「Ｈ」「Ｉ」と変化し、確定させることによって対応する英字をＰＣ本体に入力することができる。同一キーに表示された英字を連続して入力するためには、キーマップ８００に表示された区切り８４３を区切機能として、対応する保留キー２４３を打鍵する。例えば文字列「ＤＥＧ」を入力するためには、数字キー２５３、保留キー２４３、数字キー２５３、数字キー２５３、数字キー２６１、保留キー２４３と打鍵する。
【００４０】
キーマップ８００の小文字８４１に対応する電話キー２４１が打鍵された場合は、反転表示されている英字の文字が対応する英字の小文字に変化する。  キーマップ８００の「，」８３１および「．」８３３は句読点を表示し、対応するメールキー２３１、アドレスキー２３３を打鍵することにより、句読点を入力することができる。
【００４１】
以上の操作により図８のキーマップ８００［３タッチ英字］に従って、すべての英字の大文字と小文字を入力できる。
【００４２】
キーマップ８００のＳｐａｃｅ８１１、Ｅｎｔｅｒ８１２、Ｍｅｎｕ８１３、「←」８２１、「↑」８２２、「→」８２３、「↓」８３２、ＢａｃｋＳｐ８４２、「＊」機能８８１と対応する図２のキー操作については、拡大ローマ字入力モードの場合と同じである。
【００４３】
以上の３タッチ英字入力モードは、図２の携帯電話機キーボードのキートップに表示されている「英字」の携帯電話機の本来の入力モードである。アルファベット２６文字に対応するキーを最大３ないし４タッチで入力するので「３タッチ入力」と呼ばれる。
【００４４】
キーマップ４００［拡大ローマ字］、キーマップ７００［５タッチ仮名］、キーマップ８００［３タッチ英字］が表示されている状態で、それぞれのキーマップのＭｅｎｕ４１３、７１３、８１３に従って、メニューキー２１３を打鍵するとこれまでのキーマップは消滅し、表示パネル１２３には図３のメニュー画面３００が表示されてメニュー選択モードに戻る。図３のメニュー画面３００が表示されているときに、図２のキーボードの「４」数字キー２６１を打鍵して、［４］―＾￥・・・を選択すると、図９に示すキーマップ９００［―＾￥・・・］が表示される。例えば、このときキーマップ９００に従って、キーマップ９００の「￥」９５３に対応する数字キー２５３を打鍵すると記号「￥」の情報が携帯電話機本体１２１からＰＣ本体１１１に送られる。同時に、キーマップ表示９００は消滅して元のキーマップ４００［拡大ローマ字］、キーマップ７００［５タッチ仮名］、キーマップ８００［３タッチ英字］の画面に戻る。
【００４５】
キーマップ４００［拡大ローマ字］、キーマップ７００［５タッチ仮名］、キーマップ８００［３タッチ英字］が表示されている状態で、それぞれのキーマップのＭｅｎｕ４１３、７１３、８１３に従って、メニューキー２１３を打鍵するとこれまでのキーマップは消滅し、表示パネル１２３には図３のメニュー画面３００が表示されてメニュー選択モードに戻る。図３のメニュー画面３００が表示されているときに、図２のキーボードの「５」数字キー２６２を打鍵して、［５］＝〜｜・・・を選択すると、図１０に示すキーマップ１０００［＝〜｜・・・］が表示される。例えば、このときキーマップ１０００に従って、キーマップ１０００の「｜」１０５３に対応する数字キー２５３を打鍵すると記号「｜」の情報が携帯電話機本体１２１からＰＣ本体１１１に送られる。同時に、キーマップ表示１０００は消滅して元のキーマップ４００［拡大ローマ字］、キーマップ７００［５タッチ仮名］、キーマップ８００［３タッチ英字］の画面に戻る。
【００４６】
キーマップ４００［拡大ローマ字］、キーマップ７００［５タッチ仮名］、キーマップ８００［３タッチ英字］が表示されている状態で、それぞれのキーマップのＭｅｎｕ４１３、７１３、８１３に従って、メニューキー２１３を打鍵するとこれまでのキーマップは消滅し、表示パネル１２３には図３のメニュー画面３００が表示されてメニュー選択モードに戻る。図３のメニュー画面３００が表示されているときに、図２のキーボードの「６」数字キー２６３を打鍵して、［６］！”＃・・・を選択すると、図１１のキーマップ１１００［！”＃ー＾￥・・・］が表示される。例えば、このときキーマップ１１００に従って、キーマップ１１００の「＃」１１５３に対応する数字キー２５３を打鍵すると記号「＃」の情報が携帯電話機本体１２１からＰＣ本体１１１に送られる。同時に、キーマップ表示１１００は消滅して元のキーマップ４００［拡大ローマ字］、キーマップ７００［５タッチ仮名］、キーマップ８００［３タッチ英字］の画面に戻る。
【００４７】
キーマップ４００［拡大ローマ字］、キーマップ７００［５タッチ仮名］、キーマップ８００［３タッチ英字］が表示されている状態で、それぞれのキーマップのＭｅｎｕ４１３、７１３、８１３に従って、メニューキー２１３を打鍵するとこれまでのキーマップは消滅し、表示パネル１２３には図３のメニュー画面３００が表示されてメニュー選択モードに戻る。図３のメニュー画面３００が表示されているときに、図２のキーボードの「７」数字キー２７１を打鍵して、［７］Ｆ１−Ｆ１２を選択すると、図１２のキーマップ１２００［Ｆ１−Ｆ１２］が表示される。例えば、このときキーマップ１２００に従って、キーマップ１２００の「Ｆ３」１２５３に対応する数字キー２５３を打鍵すると制御機能Ｆ３の情報が携帯電話機本体１２１からＰＣ本体１１１に送られる。同時に、キーマップ表示１２００は消滅して元のキーマップ４００［拡大ローマ字］、キーマップ７００［５タッチ仮名］、キーマップ８００［３タッチ英字］の画面に戻る。なお、Ｆ７、Ｆ８、Ｆ９、Ｆ１０機能は図６のキーマップ６００［機能］の「Ｆ７」６２２、「Ｆ８」６３２、「Ｆ９」６２１、「Ｆ１０」６２３においても定義されている。ＰＣへの日本語文字の入力において、これらの機能は頻繁に使われるので操作が便利であるように２重に定義されている。
【００４８】
キーマップ４００［拡大ローマ字］、キーマップ７００［５タッチ仮名］、キーマップ８００［３タッチ英字］が表示されている状態で、それぞれのキーマップのＭｅｎｕ４１３、７１３、８１３に従って、メニューキー２１３を打鍵するとこれまでのキーマップは消滅し、表示パネル１２３には図３のメニュー画面３００が表示されてメニュー選択モードに戻る。図３のメニュー画面３００が表示されているときに、図２のキーボードの「８」数字キー２７２を打鍵して、［８］Ｅｓｃ・・・を選択すると、図１３のキーマップ１３００［Ｅｓｃ・・・］が表示される。例えば、このときキーマップ１３００に従って、キーマップ１３００の「無変換」１３５３に対応する数字キー２５３を打鍵すると制御機能「無変換」の情報が携帯電話機本体１２１からＰＣ本体１１１に送られる。同時に、キーマップ表示１３００は消滅して元のキーマップ４００［拡大ローマ字］、キーマップ７００［５タッチ仮名］、キーマップ８００［３タッチ英字］の画面に戻る。
【００４９】
キーマップ４００［拡大ローマ字］、キーマップ７００［５タッチ仮名］、キーマップ８００［３タッチ英字］が表示されている状態で、それぞれのキーマップのＭｅｎｕ４１３、７１３、８１３に従って、メニューキー２１３を打鍵するとこれまでのキーマップは消滅し、表示パネル１２３には図３のメニュー画面３００が表示されてメニュー選択モードに戻る。図３のメニュー画面３００が表示されているときに、図２のキーボードの「９」数字キー２７３を打鍵して、［９］ＰｒｔＳｃｒ・・・を選択すると、図１４のキーマップ１４００［ＰｒｔＳｃｒ・・・］が表示される。例えば、このときキーマップ１４００に従って、キーマップ１４００のＰａｕｓｅ１４５３に対応する数字キー２５３を打鍵すると制御機能「Ｐａｕｓｅ」の情報が携帯電話機本体１２１からＰＣ本体１１１に送られる。同時に、キーマップ表示１４００は消滅して元のキーマップ４００［拡大ローマ字］、キーマップ７００［５タッチ仮名］、キーマップ８００［３タッチ英字］の画面に戻る。
【００５０】
キーマップ４００［拡大ローマ字］、キーマップ７００［５タッチ仮名］、キーマップ８００［３タッチ英字］が表示されている状態で、それぞれのキーマップのＭｅｎｕ４１３、７１３、８１３に従って、メニューキー２１３を打鍵するとこれまでのキーマップは消滅し、表示パネル１２３には図３のメニュー画面３００が表示されてメニュー選択モードに戻る。図３のメニュー画面３００が表示されているときに、図２のキーボードの「０」数字キー２８２を打鍵して、［０］大／小文字切替を選択すると、携帯電話機本体１２１は、インタフェース変換装置１３１を通して、ＰＣ本体１１１のキーボード入力インタフェースに大文字小文字切り替え情報を送出する。このことにより、アルファベットの大文字小文字の切り替えが行われて、元のキーマップ４００［拡大ローマ字］、キーマップ７００［５タッチ仮名］、キーマップ８００［３タッチ英字］の画面に戻る。
【００５１】
以上の記号と制御機能に関する情報は、図１５のＰＣキーボードの全ての記号キーと制御機能キーに対応して全てを網羅している。
【００５２】
以上において、ＰＣ本体１１１と携帯電話機本体１２１との接続インタフェース１０８は赤外線通信による無線のものとしたが、有線による接続であってもよい。
【００５３】
また、以上の説明において、携帯電話機１２０からキーボード入力をする電子装置としてＰＣ本体としているが、これに限らず、キーボ−ド入力インタフェースを有する電子装置であればよい。
【００５４】
また、携帯電話機１２０のキーボード１２２からのキー入力として、説明しているが、携帯電話機とは限らず、これと同等の少ないキーのキーボードから入力モードを切り換えてより多くのキー入力機能を入力することのできるＣＰＵを備えた電子装置であればよい。
【００５５】
また、ＰＣの従来のキーボードが有する入力機能の携帯電話機の各入力モードへの割り当ては、本実施の形態の割り当てによって効率よく入力することが可能であるがこれに限定されるものではなく、使用条件などによって変更が可能である。
【００５６】
【発明の効果】
以上説明したように本発明の電子装置間を結ぶキー入力情報入力システムとキー入力方法には、次のような効果がある。即ち、
本発明の第１の効果は、従来のキーボードに比べて、はるかに少ないキー数のキーボーで、従来のキーボードと同等の文字や制御機能をＰＣなどに入力することができることである。
【００５７】
本発明の第２の効果は、キーボードと一体的に実装された表示パネルに表示されたキーマップに従って、簡単な操作で、操作性のよいキーボード入力ができることである。
【００５８】
本発明の第３の効果は、携帯電話機のように、ＣＰＵ機能を備えた機器において、ソフトウェアを追加的に実装するだけで、ハードウェアを、キートップの刻印なども含めて、なんら変更することなく、所定のキーボードとしての働きを有するキー入力をＰＣなどに対して行うことができることである。
【００５９】
本発明の第４の効果は、メニュー画面の項目を選択することによって、ローマ字入力に加えて、携帯電話機と同様の方法で仮名文字や英字の入力ができることである。
【００６０】
本発明の第５の効果は、タブレットＰＣのように従来のキーボードを必ずしも備えていないＰＣなどにおいて、本発明のキーボード入力手段を携帯性と操作性に優れたＰＣのオプショナルなキーボードとして使用することができることである。
【図面の簡単な説明】
【図１】本発明の実施の形態における電子装置間を結ぶキー入力情報入力システムの構成の模式図である。
【図２】携帯電話機のキーボードのキー配置とキートップの刻印を表す模式図である。
【図３】本発明の実施の形態におけるメニュー画面の模式図である。
【図４】本発明の実施の形態におけるキーマップ［拡大ローマ字］画面の模式図である。
【図５】本発明の実施の形態におけるキーマップ［拡大ローマ字濁音］画面の模式図である。
【図６】本発明の実施の形態におけるキーマップ［５タッチ仮名］画面の模式図である。
【図７】本発明の実施の形態におけるキーマップ［３タッチ英字］画面の模式図である。
【図８】本発明の実施の形態におけるキーマップ［機能］画面の模式図である。
【図９】本発明の実施の形態におけるキーマップ［―＾￥・・・］画面の模式図である。
【図１０】本発明の実施の形態におけるキーマップ［＝〜｜・・・］画面の模式図である。
【図１１】本発明の実施の形態におけるキーマップ［！”＃・・・］画面の模式図である。
【図１２】本発明の実施の形態におけるキーマップ［Ｆ１−Ｆ１２］画面の模式図である。
【図１３】本発明の実施の形態におけるキーマップ［Ｅｓｃ・・・］画面の模式図である。
【図１４】本発明の実施の形態におけるキーマップ［ＰｒｔＳｃｒ・・・］画面の模式図である。
【図１５】従来のＰＣキーボードのキー配置とキートップの刻印の模式図である。
【符号の説明】
１１０    ＰＣ（パソナルコンピュータ）
１１１    ＰＣ本体
１１２    ＰＣ表示装置
１２０    携帯電話機
１２１    携帯電話機本体
１２２    携帯電話機キーボード
１２３    携帯電話機表示パネル
１３１    インタフェース変換装置
１３２    ＰＣキーボードインタフェース
１３３    赤外線インタフェース
２１０    制御キー部分
２５０    データキー部分
２１１〜２１３、２２１〜２２３、２３１〜２３３、２４１〜２４３、２５１〜２５３、２６１〜２６３、２７１〜２７３、２８１〜２８３    キー
３００    メニュー画面
４００、５００、６００、７００、８００、９００、１０００、１１００、１２００、１３００、１４００    キーマップ
４１０、５１０、６１０、７１０、８１０、９１０、１０１０、１１１０、１２１０、１３１０、１４１０    タイトル
４１１〜４１３、４２１〜４２３、４３１〜４３３、４４１〜４４３、４５１〜４５３、４６１〜４６３、４７１〜４７３、４８１〜４８３、５１１〜５１３、５２１〜５２３、５３１〜５３３、５４１〜５４３、５５１〜５５３、５６１〜５６３、５７１〜５７３、５８１〜５８３、６１１〜６１３、６２１〜６２３、６３１〜６３３、６４１〜６４３、６５１〜６５３、６６１〜６６３、６７１〜６７３、６８１〜６８３、７１１〜７１３、７２１〜７２３、７３１〜７３３、７４１〜７４３、７５１〜７５３、７６１〜７６３、７７１〜７７３、７８１〜７８３、８１１〜８１３、８２１〜８２３、８３１〜８３３、８４１〜８４３、８５１〜８５３、８６１〜８６３、８７１〜８７３、８８１〜８８３、９１１〜９１３、９２１〜９２３、９３１〜９３３、９４１〜９４３、９５１〜９５３、９６１〜９６３、９７１〜９７３、９８１〜９８３、１０１１〜１０１３、１０２１〜１０２３、１０３１〜１０３３、１０４１〜１０４３、１０５１〜１０５３、１０６１〜１０６３、１０７１〜１０７３、１０８１〜１０８３、１１１１〜１１１３、１１２１〜１１２３、１１３１〜１１３３、１１４１〜１１４３、１１５１〜１１５３、１１６１〜１１６３、１１７１〜１１７３、１１８１〜１１８３、１２１１〜１２１３、１２２１〜１２２３、１２３１〜１２３３、１２４１〜１２４３、１２５１〜１２５３、１２６１〜１２６３、１２７１〜１２７３、１２８１〜１２８３、１３１１〜１３１３、１３２１〜１３２３、１３３１〜１３３３、１３４１〜１３４３、１３５１〜１３５３、１３６１〜１３６３、１３７１〜１３７３、１３８１〜１３８３、１４１１〜１４１３、１４２１〜１４２３、１４３１〜１４３３、１４４１〜１４４３、１４５１〜１４５３、１４６１〜１４６３、１４７１〜１４７３、１４８１〜１４８３    表示
１５００    キーボード
１５１０、１５１２〜１５２３、１５２５〜１５２７、１５３０〜１５４７、１５５０〜１５６７、１５７０〜１５８３、１５８６、１５９０〜１６０７、１６１０〜１６１４、１６１７〜１６２１    キー
【図１】
2004192215.tif 000003
【図２】
2004192215.tif 000004
【図３】
2004192215.tif 000005
【図４】
2004192215.tif 000006
【図５】
2004192215.tif 000007
【図６】
2004192215.tif 000008
【図７】
2004192215.tif 000009
【図８】
2004192215.tif 000010
【図９】
2004192215.tif 000011
【図１０】
2004192215.tif 000012
【図１１】
2004192215.tif 000013
【図１２】
2004192215.tif 000014
【図１３】
2004192215.tif 000015
【図１４】
2004192215.tif 000016
【図１５】
2004192215.tif 000017